(57)【要約】【課題】ゲルマニウムによる血行促進効果に加え、指圧効果を有する肌着を提供する。【解決手段】上記肌着本体としてのパンツ１０は、その背側生地部１４の内面に、着用者の背骨に沿う状態で２枚の血行促進シート１１、１１が平行に、縫い付け布２２により縫い付けられている。この各血行促進シート１１は、シート状のベースシート２０に、複数の突起１２がそれぞれ同じ向きに所定間隔をもって突出した状態で一列に形成される。その突起１２にはゲルマニウム２１の粉末が混合されているので、ゲルマニウム２１から電子が放出され、この電子によって血行が促進されるとともに、突起１２が着用者の背骨に沿って押し付けられ、この突起１２により着用者の腰が指圧されるので、指圧効果が得られる。【選択図】図１
0003126433.tif 000002
【実用新案登録請求の範囲】
【請求項１】
肌着本体と、ゲルマニウム(21)を混合した合成樹脂からなる突起(12)がベースシート(20)に形成された血行促進シート(11)とからなり、前記肌着本体の内面に前記血行促進シート(11)がその突起(12)を内向きに突出した状態で取り付けられた血行促進シート付き肌着。
【請求項２】
上記肌着本体は、パンツ(10)であり、そのパンツ(10)の内面に着用者の背骨に沿った状態で上記血行促進シート(11)が取り付けられた請求項１に記載の血行促進シート付き肌着。
【請求項３】
上記パンツ(10)は、その両側に、一端部に面ファスナー(18)を有するバンド片(17)の他端部が取り付けられたものであり、その両バンド片(17)が前方に引っ張られて、上記パンツ(10)の前面に取り付けられた面ファスナー(19)に係止される請求項２に記載の血行促進シート付き肌着。
【請求項４】
上記肌着本体は、アンダーシャツ(24)であり、そのアンダーシャツ(24)の裏面の、着用者の両肩に沿う位置に上記血行促進シート(11)が取り付けられた請求項１に記載の血行促進シート付き肌着。
【考案の詳細な説明】
【技術分野】
【０００１】
この考案は、肌着本体に、ゲルマニウムを混合した合成樹脂製の突起を有する血行促進シートを取り付けた血行促進シート付き肌着に関する。
【背景技術】
【０００２】
一般に、肩凝り、腰痛の痛みなどは、乳酸などの疲労物質が、筋肉中に蓄積されることにより生じる。これらの症状を緩和するには、血行を促進して疲労物質を除くのが効果的である。肩や腰などの血行を促進させるため、肌着の、着用者の肩や腰などが接触する部分に、セラミックの粉末およびゲルマニウムの粉末を混合した液状の接着剤を印刷した多数の六角形状の遠赤外線発生膜が形成された肌着が知られている（例えば、特開２００６−１８８７９４号公報）。
【０００３】
この遠赤外線発生膜を有する肌着は、その遠赤外線発生膜から遠赤外線が発生して、着用者の肩や腰を適度に暖め、さらに、混合されたゲルマニウムから放出される電子の作用によって、肩こりや腰痛の原因となる生体電流の乱れを正常化して、血行を促進することができる。
【考案の開示】
【考案が解決しようとする課題】
【０００４】
ところで、肩凝りや、腰痛の症状を緩和するには、マッサージによって血行を促進することも有効であるが、上記の遠赤外線発生膜を有する肌着は、この肌着を着用しても、肩や腰に対して指圧することが難しい。
【０００５】
そこで、ゲルマニウムによる血行促進効果に加え、指圧効果を有する肌着を提供することを課題とする。
【課題を解決するための手段】
【０００６】
上記の課題を解決するために、肌着の、着用者の肩または腰に当る部分に、ゲルマニウムを混合した合成樹脂からなる突起が形成された血行促進シートを取り付けるようにしたのである。
【０００７】
このようにすると、この血行促進シートを取り付けた血行促進シート付き肌着を着用することにより、突起に混合されたゲルマニウムから放出される電子の作用によって、肩こり、腰痛などによる生体電流の乱れが調整され、血行を促進されるとともに、その着用者の肩または腰を突起が押圧して指圧効果が得られる。
【０００８】
この考案の構成としては、肌着本体と、ゲルマニウムを混合した合成樹脂からなる突起がベースシートに形成された血行促進シートとからなり、前記肌着本体の内面に前記血行促進シートがその突起を内向きに突出した状態で取り付けられた構成を採用することができる。
【０００９】
上記構成における上記肌着本体は、パンツであり、そのパンツの内面に着用者の背骨に沿った状態で上記血行促進シートが取り付けられた構成にすることができる。このようにすれば、このパンツを着用することにより、突起に混合されたゲルマニウムから放出される電子の作用によって、腰痛などの痛みによる生体電流の乱れが調整されて、血行が促進されるとともに、着用者の腰の背骨に沿った部位を突起が押圧するので指圧効果が得られ、腰痛の症状が緩和される。
【００１０】
また、上記パンツは、その両側に、一端部に面ファスナーを有するバンド片の他端部が取り付けられたものであり、その両バンド片が前方に引っ張られて、上記パンツの前面に取り付けられた面ファスナーに係止される構成を採用することができる。この構成によると、両バンド片を前方に引っ張って前面両側の面ファスナーに係止すれば、着用者の胴を締め付けるので、着用者の腰に血行促進シートの突起がより強く押し付けられ、この突起による指圧の効果が高まり、着用者の腰の血行促進の効果をより高めることができる。
【００１１】
さらに、上記肌着本体は、アンダーシャツであり、そのアンダーシャツの裏面の、着用者の両肩に沿う位置に上記血行促進シートがそれぞれ取り付けられた構成を採用することもできる。このようにすれば、アンダーシャツの裏面の、着用者の肩に沿う位置に血行促進シートが貼り付けられるので、突起に混合されたゲルマニウムから放出される電子の作用によって、肩こりによる生体電流の乱れが調整され、血行が促進されるとともに、着用者の肩を突起が押圧して、指圧効果が得られ、肩こりの症状が緩和される。
【考案の効果】
【００１２】
以上のように構成したので、この考案は、血行促進シートの突起に混合したゲルマニウムの作用により、この血行促進シート付き肌着の着用者の肩や腰の血行を促進するとともに、肩や腰に指圧効果を付与することができる。
【考案を実施するための最良の形態】
【００１３】
以下、この考案の実施形態を図１〜図３に示す。
この実施形態の血行促進シート付き肌着は、図１に示すように、肌着本体としてのパンツ１０の裏面に、ゲルマニウムを混合した突起１２を複数有する血行促進シート１１が、その突起１２を内向きに突出する状態で取り付けられたものである。
【００１４】
上記パンツ１０は、腹側生地部１３と、背側生地部１４とを有し、上側に胴口１５が形成されるとともに下側の左右に、脚を通す脚口１６、１６が形成されたものである。
【００１５】
上記パンツ１０の背側生地部１４の内面には、着用者の背骨に沿う状態で２枚の血行促進シート１１、１１が平行に、縫い付け布２２により縫い付けられている。この各血行促進シート１１は、図２（ａ）に示すように、シート状のベースシート２０に、複数の突起１２がそれぞれ同じ向きに所定間隔をもって突出した状態で一列に形成されたものである。このベースシート２０は、帯状であり、柔軟性を有する合成樹脂、例えばシリコーンゴムなどから形成される。
【００１６】
上記ベースシート２０に形成される複数の突起１２は、図２（ｂ）に示すように、ゲルマニウム２１の粉末が混合され、ベースシート２０よりも柔らかいシリコーンゴム等の合成樹脂から形成される。各突起１２がベースシート２０よりも柔らかければ、この血行促進シート１１を取り付けたパンツ１０を着用した際、この各突起１２が着用者の腰を背骨に沿って痛みを伴わずに適度に指圧する。
【００１７】
上記血行促進シート１１を縫い付ける縫い付け布２２は、綿、ポリエステルなどからなる帯状の布であり、複数の孔２３が形成され、上記ベースシート２０の縦、横幅よりもそれぞれ少し長く形成されたものである。この縫い付け布２２の各孔２３は、その周縁部に穴かがりが施され、血行促進シート１１の各突起１２の間隔と同じ間隔で形成されている。このため、パンツ１０の背側生地部１４の所定位置に血行促進シート１１を当てがい、この血行促進シート１１を縫い付け布２２で覆うと、血行促進シート１１の各突起１２が縫い付け布２２のそれぞれの孔２３から突出する（図１（ｂ）参照）。
【００１８】
また、縫い付け布２２がベースシート２０の縦、横幅よりもそれぞれ少し長く形成されているので、縫い付け布２２が血行促進シート１１を覆った状態で縫い付け布２２の周囲をパンツ１０の背側生地部１４に縫い付けることができる。これにより、血行促進シート１１が、各突起１２を内向きに突出して露出した状態でパンツ１０の背側生地部１４の内面に取り付けられる。
【００１９】
上記パンツ１０の背側生地部１４の両側に、バンド片１７、１７がそれぞれ取り付けられている。この両バンド片１７は、帯状に形成され、その一端部の片面に面ファスナー１８が貼り合わされ、他端部が上記背側生地部１４の側面にそれぞれ縫い付けられている。上記腹側生地部１３の前面の２箇所に、バンド片１７の面ファスナー１８と係合する面ファスナー１９がそれぞれ貼り付けられている。
【００２０】
上記バンド片１７が前方に引っ張られ、その面ファスナー１８が腹側生地部１３の面ファスナー１９と係合すれば、パンツ１０の胴周囲が縮み、着用者のウエストを締め付ける。これにより、血行促進シート１１の突起１２が着用者の背骨に沿って強く押し付けられ、この突起１２により着用者の腰が指圧されて、指圧効果が得られるとともに、血行が促進される。また、この突起１２にはゲルマニウム２１の粉末が混合されているので、ゲルマニウム２１から電子が放出され、この電子によって血行が促進される。
【００２１】
次に、この考案の他の実施形態を図３に示す。
この実施形態の肌着本体は、上半身に着用するアンダーシャツ２４であり、布地を所定の形状に裁断し、それらの裁断片を互いに縫い合わせた構成となっている。ここで、アンダーシャツとは、最も内側に着用され、着用者の肌に触れる衣類を指し、図３に示す袖なし（タンクトップ型、ハーフトップ型）に限らず、半袖、長袖のもの、またはブラジャーであってもよい。
【００２２】
このアンダーシャツ２４の左右の肩部２５、２５の裏面には、図３に示すように、上述した血行促進シート１１が縫い付け布２２により縫い付けられている。この血行促進シート１１も、上述した実施形態のパンツ１０の場合と同様に、その突起１２が内向きに突出して露出した状態で取り付けられている。これにより、着用者の両肩に沿う位置に血行促進シート１１が取り付けられ、その突起１２により着用者の両肩が指圧されるとともに、突起１２に混合されているゲルマニウム２１から電子が放出され、この電子によって血行が促進される。
【図面の簡単な説明】
【００２３】
【図１】（ａ）実施形態の血行促進シート付き肌着を示す斜視図、（ｂ）同上の血行促進シートの取り付け状態を示す断面図
【図２】（ａ）同上の血行促進シートおよび縫い付け布を示す斜視図、（ｂ）同上の血行促進シートを縫い付け布で覆った状態を示す断面図
【図３】他の実施形態の血行促進シート付き肌着を示す斜視図
【符号の説明】
【００２４】
１０  パンツ
１１  血行促進シート
１２  突起
１３  腹側生地部
１４  背側生地部
１５  胴口
１６  脚口
１７  バンド片
１８  面ファスナー
１９  面ファスナー
２０  ベースシート
２１  ゲルマニウム
２２  縫い付け布
２３  孔
２４  アンダーシャツ
２５  肩部
【図１】
0003126433.tif 000003
【図２】
0003126433.tif 000004
【図３】
0003126433.tif 000005